(57)【要約】【課題】車両用表示装置において、文字盤に設けられた記号の視認性が良好であって、見栄えの向上を図ることにある。【解決手段】表示装置（１）は、車両の走行状態を表示する記号（１６）が設けられた文字盤（１７）と、文字盤（１７）の背面から文字盤（１７）を照射する光源（１８）と、文字盤（１７）の記号（１６）の外縁を取り囲む外縁部材（１９）とを備える。また、外縁部材（１９）は、記号（１６）側の壁面（２８・２９）によって形成した凹部（３０）を備える。【選択図】図１
2014025851.tif 000002
【特許請求の範囲】
【請求項１】
車両の走行状態を表示する記号が設けられた文字盤と、前記文字盤の背面から前記文字盤を照射する光源と、前記文字盤の前記記号の外縁を取り囲む外縁部材とを備えた車両用表示装置において、前記外縁部材は、前記記号側の壁面によって形成した凹部を備えることを特徴とする車両用表示装置。
【請求項２】
前記外縁部材は、前記記号方向に向かうほど前記文字盤へ近づくように形成された天井壁部を備えることを特徴とする請求項１に記載の車両用表示装置。
【発明の詳細な説明】
【技術分野】
【０００１】
この発明は、車両用表示装置に係り、特に車両の走行状態を乗員に表示する車両用表示装置に関する。
【背景技術】
【０００２】
従来、車両用表示装置においては、文字盤に設けられた記号（目盛り）を乗員に明瞭に現認させるために、文字盤の背面に光源を配置し、文字盤の記号部分に光を透過させるものが知られている。
図６に示すように、表示装置１０１には、速度計１０２とタコメータ１０３と燃料計１０４とが備えられている。この表示装置１０１中の、例えば、速度計１０２においては、図７に示すように、文字盤１０５の記号（目盛り）１０６の外縁を取り囲む外縁部材１０７が配置されている。この外縁部材１０７は、銀塗装又はメッキ等が施されたリング形状であって、いわゆる加飾のシルバーリングとして、見栄えを良くしている。
このような車両用表示装置としては、以下の先行技術文献がある。
【先行技術文献】
【特許文献】
【０００３】
【特許文献１】特開２００７−２７１２７１号公報
【０００４】
特許文献１に係る車両用計器装置は、記号（目盛り）を大きく見せることを目的として、記号の外周を覆う外縁部材（リング部材）に記号を透過した光を当て、記号の像を投影（反射）させ、見かけ上の記号を拡大して見せることで、視認性を向上させている。
【発明の概要】
【発明が解決しようとする課題】
【０００５】
ところが、上記の特許文献１では、記号（目盛り）を透過する光が透過中に回折を起こすため、外縁部材（リング部材）に投影された記号は、弱いか、又は、ぼやけた状態で表示されることがある。また、湿気等によって記号の像が変化するおそれがあり、視認性が悪化するという不都合があった。
また、従来、図６、図７に示すように、外縁部材（シルバーリング）１０７において、銀塗装が施された外縁部材（シルバーリング）を使用すると、メッキが施された外縁部材（シルバーリング）のように、記号１０６がきれいに映り込まず、記号１０６がぼやける場合がある。また、メッキが施された外縁部材（シルバーリング）を使用しても、文字盤１０５に対して外縁部材（シルバーリング）が平行ではないため、見る角度によっては、文字盤１０５の記号１０６と映り込んだ記号とが直線でなく、折れ曲がって見えて、見栄えが悪いという不都合があった。
そのような対策として、図８に示すように、銀塗装又はメッキ等が施された外縁部材（シルバーリング）１０７を使用した場合に、台座形状の黒色樹脂（図８の斜線部分で示す）１０８を設け、記号１０６が外縁部材１０７に映り込まないようにしているが、このため、部品点数が増加し、また、重量が増加するという不都合があった。
【０００６】
そこで、この発明の目的は、文字盤に設けられた記号の視認性が良好であって、見栄えの向上を図り、また、部品点数を削減し、重量軽減を図ることができる車両用表示装置を提供することにある。
【課題を解決するための手段】
【０００７】
この発明は、車両の走行状態を表示する記号が設けられた文字盤と、前記文字盤の背面から前記文字盤を照射する光源と、前記文字盤の前記記号の外縁を取り囲む外縁部材とを備えた車両用表示装置において、前記外縁部材は、前記記号側の壁面によって形成した凹部を備えることを特徴とする。
【発明の効果】
【０００８】
この発明は、文字盤に設けられた記号の視認性が良好であって、見栄えの向上を図り、また、部品点数を削減し、重量軽減を図ることができる。
【図面の簡単な説明】
【０００９】
【図１】図１は表示装置の正面図である。（実施例）
【図２】図２は図１のＩＩ−ＩＩ線による表示装置の燃料計の断面図である。（実施例）
【図３】図３は図２の矢印ＩＩＩによる燃料計の拡大断面図である。（実施例）
【図４】図４は図３の燃料計の外縁部材の拡大断面図である。（実施例）
【図５】図５は燃料計の外縁部材の一部斜視図である。（実施例）
【図６】図６は従来の表示装置の正面図である。（従来例）
【図７】図７は図６の表示装置の速度計の一部拡大図である。（従来例）
【図８】図８は従来において黒色樹脂を設けた外縁部材が備えられた速度計の一部斜視図である。（従来例）
【発明を実施するための形態】
【００１０】
この発明は、文字盤に設けられた記号の視認性が良好であって、見栄えの向上を図り、また、部品点数を削減し、重量軽減を図る目的を、記号を透過した光の一部を外縁部材に形成した凹部に入り込ませ且つこの凹部を形成する壁面に当て、記号の投影像を壁面に投影させて実現するものである。
【実施例】
【００１１】
図１〜図５は、この発明の実施例を示すものである。
図１に示すように、車両用の表示装置１は、車両のインストルメントパネルに設置される。
表示装置１は、コンビネーションメータであって、中央部位の速度計２と、速度計２の左方のタコメータ３と、速度計２の右方の燃料計４とを備えている。
これら速度計２とタコメータ３と燃料計４とは、インストルメントパネルに支持したメータケース５内に設置される。
このメータケース５は、図２に示すように、ボトムケース６と、このボトムケース６の上部に設置されたミドルケース７と、このミドルケース７の上部に設置されたトップケース８とからなる。
ボトムケース６は、断面Ｕ字形状に形成され、底部９と環状部１０とから形成されている。
ミドルケース７は、断面逆Ｕ字形状に形成され、環状部１１と上部１２とから形成されている。
トップケース８は、環状部１３と前側の一側立上部１４と後側の他側立上部１５とから形成されている。
【００１２】
図２〜図５に示すように、表示装置１において、例えば、燃料計４は、車両の走行状態を表示する記号（目盛り）１６が設けられた文字盤１７と、文字盤１７の背面から文字盤１７を照射する光源１８と、文字盤１７の記号１６の外縁を取り囲む外縁部材１９とを備えている。
文字盤１７は、例えば、黒色で形成されて光を遮断できるものであって、記号１６がアクリル等の透過性材料で形成される。この文字盤１７は、ミドルケース７の上部１２の上面に設置され、この上部１２の上面とトップケース８の脚部２０Ａ・２０Ｂとの間に挟まれている。
外縁部材１９は、文字盤１７の上面に配置され、トップケース８に保持されている。
ミドルケース７の上部１２には、光源１８を保持する光源支持部材２１と、複数のリブ材２２Ａ・２２Ｂが下方に突出して形成されている。また、このミドルケース７の上部１２には、燃料計４の指針２３Ａを支持する指針基部２３の挿通孔部２４が孔部壁２５で形成されている。
【００１３】
図３、図４に示すように、外縁部材１９は、文字盤１７の上面に立設する立壁部２６と、この立壁部２６に連設した天井壁部２７とを備える。この外縁部材１９は、銀塗装又はメッキが施された、いわゆる加飾のシルバーリングである。
天井壁部２７は、記号１６方向に向かうほど文字盤１７の上面へ近づくように、立壁部２６の上部からこの立壁部２６に対して角度θで傾斜し且つ所定長さＬで形成される。外縁部材１９には、立壁部２６で記号１６側の立壁面２８が形成されるととともに、天井壁部２７で記号１６側の天井壁面２９が形成される。そして、外縁部材１９は、記号１６側の壁面としての立壁面２８・天井壁面２９とによって形成した凹部（空間部）３０を備える。
【００１４】
以上、この発明の実施例について説明してきたが、上述の実施例の構成を請求項毎に当てはめて説明する。
先ず、請求項１に係る発明では、外縁部材１９は、記号１６側の壁面としての立壁面２８・天井壁面２９によって形成された凹部３０を備える。
このような構成によれば、図３、図４に示すように、記号１６を透過した光の一部（矢印Ｐで示す）は、外縁部材１９に形成された凹部３０に入り込み、この凹部３０を形成する立壁面２８と天井壁面２９とに順次に当たる。このため、記号１６の投影像は、立壁面２８と天井壁面２９とに投影される。従って、記号１６の投影像が凹部３０の奥に投影されるため、つまり、外縁部材１９の天井壁部２８により乗員からは視認し難い位置にあるために、記号１６の像が外縁部材１９に映らなくなり、乗員が視認することは無く、乗員は、ライトアップされた明瞭な記号１６を読み取ることができる。この結果、運転者が立壁部２６に投影されたぼやけた記号１６を視認することを防止することができ、記号１６の視認性、見栄えを向上させることができる。また、従来の黒色樹脂が不要となり、部品点数の削減、重量低減が可能となる。
また、請求項２に係る発明では、外縁部材１９は、記号１６方向に向かうほど文字盤１７へ近づくように形成される天井壁部２７を備える。
このような構成によれば、外縁部材１９の天井壁部２７は、記号１６方向へ向かうほど文字盤１７へ近づくように形成される。このため、立壁面２８・天井壁面２９に当たり反射した光が、凹部３０内の文字盤１７へ向かい、記号１６へ向かうことを防止することができる。従って、記号１６は余分な光を受けることが無くなり、乗員は、明暗がはっきりした記号１６を見ることができる。つまり、天井壁部２７で反射した光が記号１６へ戻ることが無くなり、記号１６の周囲が明暗がはっきりするため、運転者は、記号１６を視認し易くなる。
【００１５】
なお、この発明に係る表示装置は、燃料計について説明したが、他の速度計やタコメータにも適用することができる。
また、この実施例に係る構成を、表示装置内の発光部分（液晶、インジケータ、指針）に対しても、同様に適用可能である。
【産業上の利用可能性】
【００１６】
この発明に係る表示装置を、各種車両に適用可能である。
【符号の説明】
【００１７】
１  表示装置
２  速度計
３  タコメータ
４  燃料計
５  メータケース
６  ボトムケース
７  ミドルケース
８  トップケース
１６  記号
１７  文字盤
１８  光源
１９  外縁部材
２６  立壁部
２７  天井壁部
２８  立壁面
２９  天井壁面
３０  凹部
【図１】
2014025851.tif 000003
【図２】
2014025851.tif 000004
【図３】
2014025851.tif 000005
【図４】
2014025851.tif 000006
【図５】
2014025851.tif 000007
【図６】
2014025851.tif 000008
【図７】
2014025851.tif 000009
【図８】
2014025851.tif 000010